(57)【要約】【課題】  ツアーの内容に対応付けた動画のプレイリストを容易に作成できるようにする。【解決手段】  タイムライン生成部は、特定の旅行日程に対応付けられた動画情報のサムネイル画像を一覧表示するサムネイル表示部と、時系列に沿った時間帯情報を視覚的に示した複数の時間領域が列状に表示され、前記サムネイル画像を前記時間領域のいずれかに配置する操作が可能なタイムライン表示部とを備える。前記サムネイル画像が前記時間領域に対して配置される操作が行われた際に、前記時間帯情報と、前記動画情報とを対応付けて前記タイムライン動画記憶部に対して記憶し、前記タイムライン再生部は、前記タイムライン動画記憶部に記憶されたある旅行行程に対応する動画データを前記時間帯情報の時系列が早いものから順に再生する。【選択図】  図１
2017192046.tif 000002
【特許請求の範囲】
【請求項１】
タイムライン生成部と、タイムライン再生部と、を有するタイムライン管理システムであって、
特定の場所に対する旅行行程を示すツアー情報を記憶するツアー情報記憶部と、
前記ツアー情報に関連づけられて作成され、再生可能な動画データと、前記動画データのサムネイル画像と、関連するツアー情報とを少なくとも含む動画情報を記憶した動画情報記憶部と、
前記動画データの旅行行程に対応した動画の再生順序を記憶するタイムライン動画記憶部と、
を備え、
前記タイムライン生成部は、
特定の旅行日程に対応付けられた動画情報のサムネイル画像を一覧表示するサムネイル表示部と、
時系列に沿った時間帯情報を視覚的に示した複数の時間領域が列状に表示され、前記サムネイル画像を前記時間領域のいずれかに配置する操作が可能なタイムライン表示部と
を備え、
前記サムネイル画像が前記時間領域に対して配置される操作が行われた際に、前記時間帯情報と、前記動画情報とを対応付けて前記タイムライン動画記憶部に対して記憶し、
前記タイムライン再生部は、
前記タイムライン動画記憶部に記憶されたある旅行行程に対応する動画データを前記時間帯情報の時系列が早いものから順に再生する
ことを特徴とするタイムライン管理システム。
【請求項２】
前記動画情報記憶部は、前記動画データごとに撮影された時間帯を示す撮影時間帯情報、及び撮影された場所示す場所情報を動画情報毎に含んで記憶しており、
前記タイムライン生成部は、前記サムネイル画像が前記時間領域に対して配置される操作が行われた際に、前記サムネイル画像に対応する前記動画情報と同様の前記場所情報を有する複数の前記動画情報のうち、前記撮影時間帯情報が当該時間帯情報に対応する動画情報が選択され、前記時間帯情報と、選択された動画情報とを対応付けて前記タイムライン動画記憶部に対して記憶する
ことを特徴とする請求項１に記載のタイムライン管理システム。
【請求項３】
前記タイムライン生成部は、
同一の前記時間領域に対して２つ以上の前記サムネイル画像を配置可能であって、前記同一の時間領域に対して２つ以上の前記サムネイル画像を配置した場合に、時系列に沿って再生順序をそれぞれの前記動画情報に割り当てて、前記タイムライン動画記憶部に記憶し、
前記タイムライン再生部は、
同一の時間情報が付与されている動画情報のうち再生順序が早いものから順に再生する
ことを特徴とする請求項１、又は２に記載のタイムライン管理システム。
【請求項４】
前記動画情報は、撮影された際の天気の状態を示す天気情報を含んで動画情報記憶部に記憶されており、
前記タイムライン生成部は、タイムライン生成時における天気条件を変更可能であって、前記サムネイル画像が前記時間領域に対して配置される操作が行われた際に、前記サムネイル画像に対応する前記動画情報と同様の前記場所情報を有する複数の前記動画情報のうち、天気情報が設定された天気条件と同一の動画情報が選択され、選択された動画情報を前記タイムライン動画記憶部に対して記憶する
請求項２に記載のタイムライン管理システム。
【請求項５】
前記動画情報は、撮影された際の季節の状態を示す季節情報を含んで動画情報記憶部に記憶されており、
前記タイムライン生成部は、タイムライン生成時における季節条件を変更可能であって、前記サムネイル画像が前記時間領域に対して配置される操作が行われた際に、前記サムネイル画像に対応する前記動画情報と同様の前記場所情報を有する複数の前記動画情報のうち、季節情報が設定された季節条件と同一の動画情報が選択され、選択された動画情報を前記タイムライン動画記憶部に対して記憶する
請求項２、又は５に記載のタイムライン管理システム。
【発明の詳細な説明】
【技術分野】
【０００１】
本発明は、タイムライン管理システムに関するものである。
【背景技術】
【０００２】
従来、撮影された動画に対して、利用者が望ましい再生順序を設定し、設定した再生順序に従って動画を再生することができるように動画のタイムラインの編集方法として様々な方法が提示されてきた。例えば特許文献１においては、動画の代表的な場面を示すシーン画像を抽出し、シーン画像をタイムライン上に配置して再生可能とする方法が開示されている。また、特許文献２においては、動画コンテンツは、時間的に分割された複数のコンテンツオブジェクトから構成され、該コンテンツオブジェクトは、その内容に関係する複数のタグ情報を含む。第１のタグ情報を含む複数のコンテンツオブジェクトの第１のタイムラインを表示すると共に、第１のタグ情報を含まないコンテンツオブジェクトの第２のタイムラインを、第１のタイムラインと並列に表示するユーザインタフェース制御手段と、タイムライン毎に、コンテンツオブジェクトを結合するコンテンツ生成手段としてコンピュータを機能させる。
【先行技術文献】
【特許文献】
【０００３】
【特許文献１】特開２０１４−１５０３５５号公報
【特許文献２】特開２０１０−２６８１９５号公報
【発明の概要】
【発明が解決しようとする課題】
【０００４】
動画を撮影して利用する状況としては、ツアーなどの旅行に関する情報を動画として作成し、利用者から旅行先を検討・選択する場合の参考情報として活用するようなものが考えられる。このような場合、動画はツアーの旅行行程に紐づいて作成されるものであるが、利用者としては実際のツアーの旅行行程に従って各種動画を再生して閲覧することができるようになれば、ツアーを実際に近い順序で体験できるため好ましいが、そのような動画の再生順を設定するような方法についてはいまだ開示されていない。
【０００５】
本発明の実施形態は、上記課題に基づいてなされたものであり、ツアーの旅行日程と対応する動画の再生タイムラインを容易に作成することのできるタイムライン管理システムを実現することを目的とする。
【課題を解決するための手段】
【０００６】
上記課題を解決するために、本実施形態のタイムライン管理システムは、タイムライン生成部と、タイムライン再生部と、を有するタイムライン管理システムであって、特定の場所に対する旅行行程を示すツアー情報を記憶するツアー情報記憶部と、前記ツアー情報に関連づけられて作成され、再生可能な動画データと、前記動画データのサムネイル画像と、関連するツアー情報とを少なくとも含む動画情報を記憶した動画情報記憶部と、前記動画データの旅行行程に対応した動画の再生順序を記憶するタイムライン動画記憶部と、を備える。
【０００７】
前記タイムライン生成部は、特定の旅行日程に対応付けられた動画情報のサムネイル画像を一覧表示するサムネイル表示部と、時系列に沿った時間帯情報を視覚的に示した複数の時間領域が列状に表示され、前記サムネイル画像を前記時間領域のいずれかに配置する操作が可能なタイムライン表示部とを備え、前記サムネイル画像が前記時間領域に対して配置される操作が行われた際に、前記時間帯情報と、前記動画情報とを対応付けて前記タイムライン動画記憶部に対して記憶し、前記タイムライン再生部は、前記タイムライン動画記憶部に記憶されたある旅行行程に対応する動画データを前記時間帯情報の時系列が早いものから順に再生する。
【０００８】
また、前記動画情報記憶部は、前記動画データごとに撮影された時間帯を示す撮影時間帯情報、及び撮影された場所示す場所情報を動画情報毎に含んで記憶しており、前記タイムライン生成部は、前記サムネイル画像が前記時間領域に対して配置される操作が行われた際に、前記サムネイル画像に対応する前記動画情報と同様の前記場所情報を有する複数の前記動画情報のうち、前記撮影時間帯情報が当該時間帯情報に対応する動画情報が選択され、前記時間帯情報と、選択された動画情報とを対応付けて前記タイムライン動画記憶部に対して記憶するようにしてもよい。
【０００９】
また、前記タイムライン生成部は、同一の前記時間領域に対して２つ以上の前記サムネイル画像を配置可能であって、前記同一の時間領域に対して２つ以上の前記サムネイル画像を配置した場合に、時系列に沿って再生順序をそれぞれの前記動画情報に割り当てて、前記タイムライン動画記憶部に記憶し、前記タイムライン再生部は、同一の時間情報が付与されている動画情報のうち再生順序が早いものから順に再生するようにしてもよい。
【００１０】
また、前記動画情報は、撮影された際の天気の状態を示す天気情報を含んで動画情報記憶部に記憶されており、前記タイムライン生成部は、タイムライン生成時における天気条件を変更可能であって、前記サムネイル画像が前記時間領域に対して配置される操作が行われた際に、前記サムネイル画像に対応する前記動画情報と同様の前記場所情報を有する複数の前記動画情報のうち、天気情報が設定された天気条件と同一の動画情報が選択され、選択された動画情報を前記タイムライン動画記憶部に対して記憶する、ようにしてもよい。
【００１１】
また、前記動画情報は、撮影された際の季節の状態を示す季節情報を含んで動画情報記憶部に記憶されており、前記タイムライン生成部は、タイムライン生成時における季節条件を変更可能であって、前記サムネイル画像が前記時間領域に対して配置される操作が行われた際に、前記サムネイル画像に対応する前記動画情報と同様の前記場所情報を有する複数の前記動画情報のうち、季節情報が設定された季節条件と同一の動画情報が選択され、選択された動画情報を前記タイムライン動画記憶部に対して記憶する、ようにしてもよい。
【発明の効果】
【００１２】
ツアーの旅行日程と対応する動画の再生タイムラインを容易に作成することができるようになる。
【図面の簡単な説明】
【００１３】
【図１】実施形態のタイムライン管理システムの機能構成を示すブロック図である。
【図２】実施形態のタイムライン生成部によるタイムライン生成の操作画面の一態様を示す図である。
【図３】実施形態のタイムライン生成部によるタイムライン編集の操作画面の一態様を示す図である。
【図４】実施形態のタイムライン生成部によるタイムライン生成の操作画面の別の態様を示す図である。
【図５】実施形態のタイムライン作成に係る処理の流れを示すフロー図である。
【図６】実施形態のタイムライン再生に係る処理の流れを示すフロー図である。
【図７】実施形態の動画情報に係る各種テーブル構成を示す図である。
【図８】実施形態のタイムライン情報に係る各種テーブル構成を示す図である。
【発明を実施するための形態】
【００１４】
以下、本発明を具体化した実施形態について図面を参照して説明する。図１は、タイムライン管理システムの構成を示しており、タイムライン管理システム１は、タイムライン生成部２と、タイムライン再生部３とを備えて構成されている。タイムラインとは、ツアーの旅行行程に沿って動画を所定の再生順序に沿って並べた再生プレイリストのことである。
【００１５】
本システムの利用態様としては、まずはツアーに組み入れる観光地毎に、時間や、季節、天気などの様々な諸条件での動画を撮影し、動画データとツアー情報とを記憶させておくことが初期設定として必要となる。タイムライン生成部２においては、あるツアーに対して動画のタイムラインを作成することが可能であり、例えば「東京観光ツアー」のようなツアーに対して、複数の観光場所を設定して、観光場所に対応付けられた動画を設定してくことができる。タイムライン再生部３は、タイムライン生成部２によって作成されたタイムラインに従って動画を順次再生する。タイムライン再生部３は、スマートフォンなどの情報端末４や、ヘッドマウントディスプレイなどのＶＲ端末５などの外部端末とインターネットを通じて接続され、インターネットを通じて配信することも可能である。また、これらの情報端末４内にタイムライン再生部３がインストールされる形式で設けられ、タイムラインのデータをダウンロードして再生するようにしてもよい。
【００１６】
図２は、タイムライン生成部２のタイムライン作成時における画面の一例を示す図である。タイムライン生成部２は、サムネイル表示部１０とタイムライン表示部２０を備えている。また、タイムライン生成部２は、ツアーテーマ検索部３０、プレイリスト編集部３１、ツアー検索部３２を備えている。本画面は、例えば「東京観光ツアー」のような特定のツアーが選択された場合に表示される画面である。ツアーの選択は当該画面の前の画面で操作ができるようになっており、サムネイル表示部１０は、選択された特定の旅行日程に対応付けられた動画のサムネイル画像１０ａ〜１０ｅが表示される。サムネイル画像１０ａ〜１０ｅは、本実施形態では、各場所に対して１つ表示されている。すなわち、例えば「浅草寺」に対して複数の動画が登録されている場合であっても、そのうちの一つのサムネイル画像が表示されている。
【００１７】
タイムライン表示部２０は、時系列に沿った時間帯情報を視覚的に示した複数の時間領域が列状に表示しており、本実施形態では画面上の上下に延びるように表示されており、９時〜１２時のタイムライン２０ａ、１２時〜１５時のタイムライン２０ｂ、１５時〜１８時のタイムライン２０ｃ、１８時以降のタイムライン２０ｄの４つの区分で構成されている。なお、当該区分の方法としては、例えば１時間単位での区分や、朝昼晩の区分などで構成してもよい。また、このような区分を設けずに、１日を１単位として構成するようにしてもよい。
【００１８】
当該画面において、サムネイル表示部１０に表示されているサムネイル画像１０ａ〜１０ｅのタイムライン表示部２０に対してドラッグ＆ドロップで配置することで、タイムラインが生成される。本実施形態では、浅草寺のサムネイル画像１０ａをタイムライン２０ａにドラッグドロップすると、タイムライン２０ａ上にサムネイル画像１１ａが表示された状態となる。また、同様に雷門のサムネイル画像１０ｂをタイムライン２０ｃにドラッグドロップするとタイムライン２０ｃ上にサムネイル画像１１が表示された状態となる。
【００１９】
次の、このような処理のバックエンド側で行われている処理についてフロー図と、データベースの構成に基づいて説明する。図５は、タイムライン作成時における処理の流れを示すフロー図であり、図７、図８は各種データベースの構造を示す図である。図７に示されるように、ツアー情報を記憶するツアーテーブル２００は、一意のツアーＩＤに紐づいて、ツアー名、位置情報、ターミナルＩＤ、所要時間、デフォルト時間属性、デフォルト季節属性、デフォルト天気属性が設定される。ツアーテーブル２００には、１つのツアーが作成されるごとにデータが１つ追加されるテーブルである。上述した「東京観光ツアー」のようなツアー単位で作成されるものであり、予めツアー企画者などによって追加されるデータである。
【００２０】
動画テーブル２１０は、動画ＩＤ、ツアーＩＤ、場所ＩＤ、時間、月、天気属性、動画ファイル名、サムネイルファイル名、動画保存場所の各データによって構成されている。動画ＩＤは、一意の識別情報であり一つの動画データ毎に振り当てられる。ツアーＩＤは、動画データが対応づけられたツアー情報を特定するものであり、撮影された動画情報に対して１つ設定される。すなわち、図２で示したタイムライン作成画面では、同一のツアーＩＤが割り当てられた動画情報がタイムライン生成の素材として表示されている。場所ＩＤは、動画が撮影された場所を示しており、場所テーブル２３０に記憶された場所ＩＤと対応付けられている。図２においては、「浅草寺」「雷門」「東京スカイツリー」「ダイバーシティ東京」「東京ドームシティ」などが場所テーブル２３０の場所名に該当し、サムネイル表示部１０には、同一の場所ＩＤが付与された動画情報の場合は、そのいずれかのサムネイル画像が１つだけ表示されるようになっている。なお、表示されるサムネイル画像は同一の場所ＩＤが付与された動画情報からランダムで一つ表示するようにしても良いし、デフォルトの時間や属性情報が設定されている動画情報からサムネイル画像を表示するようにしてもよい。
【００２１】
時間は、動画が撮影された時間帯を示す撮影時間帯情報である。月、天気属性は、それぞれ動画が撮影された時の状況を示すデータである。ターミナルテーブル２２０は、ターミナルＩＤ、ターミナル名（日本語）、ターミナル名（英語）、区分、位置情報のデータから構成されている。
【００２２】
続いて図８に示されるように、タイムラインテーブル１００は、タイムラインＩＤ、タイムライン名称、季節属性ＩＤ、天気属性ＩＤのデータを含んで構成されている。タイムラインＩＤは、一つのタイムラインが生成されるごとに作成される一意の識別情報であり、時間帯管理テーブル１２０、及び季節管理テーブル１４０と対応付けられたタイムラインの季節属性ＩＤと、天気属性ＩＤを有することで、タイムラインの季節と天気の属性を定義している。すなわち、タイムラインは、天気と季節の条件の組み合わせを変えて各ツアーに対して複数作成することを想定している。
【００２３】
タイムライン再生動画テーブル１１０は、タイムラインテーブル１００と対応付けされて生成され、動画の再生順序を提示するものである。タイムライン再生動画テーブル１１０は、タイムラインＩＤ、再生順、ツアーＩＤ、場所ＩＤ、時間帯属性ＩＤから構成されている。ツアーＩＤ、及び場所ＩＤ、及び時間帯属性ＩＤとの組み合わせから対応する動画情報が特定される。動画の再生順としては、時間帯属性ＩＤによって特定のタイムラインに設定された動画の順番が時系列的に把握可能となる。再生順のデータは、同じ時間帯属性ＩＤを有する複数の動画データ内における再生順序を規定するものであり、「１」「２」のように再生順序が設定される。例えば図４のように、タイムライン２０ａに対してサムネイル画像１１ａ、及び１１ｂが配置され、タイムライン２０ｃに対してサムネイル画像１１ｄ、１１ｅが配置されている場合であり、この場合同じ時間帯属性ＩＤが設定されるため、それぞれに再生順のデータが設定される。
【００２４】
動画テーブル１３０は、ツアーＩＤと場所ＩＤ、時間とによってタイムライン再生動画テーブル１１０と対応付けられている。次に、図５に基づいてタイムライン再生の処理の流れを説明する。まず、最初にタイムラインの作成対象となるツアーのリストが表示される（ステップＳ１）。ここで表示されるツアーの一覧は、予めツアー企画者などによって登録されるものであり、ツアーテーブル２００から「ツアー名」を抽出して表示する。
【００２５】
続いて、ツアーが選択されると、図２で示したタイムライン作成画面へと移行し、月、天気、季節のデフォルト条件の設定を表示する（ステップＳ２）。デフォルト条件の設定の仕方としては、例えば月としては実際のカレンダーと連動するようにしたり、天気として「晴」、季節として「春」などと予め決めたりするようにする。また、この際のデフォルト条件で設定した月や季節、天気などの条件と合致する動画情報のサムネイル画像が表示される。
【００２６】
続いて、画面側の操作で日付条件が変更されたか否かの判定が行われる（ステップＳ３）。日付条件が変更されると（ステップＳ３：Ｙｅｓ）、動画テーブル２１０において「月」のデータが変更後の条件と一致する動画情報のサムネイル画像を表示する（ステップＳ５）。なお、ある場所に対応する動画情報にいて、設定された月条件と一致するものがない場合は、代わりに別の動画のサムネイル画像を表示するようにしてもよい。
【００２７】
一方、日付条件の変更がない場合（ステップＳ３：Ｎｏ）、天気条件の変更があったか否かの判定が行われる（ステップＳ４）。天気条件が変更されると（ステップＳ４：Ｙｅｓ）、動画テーブル２１０において「天気属性」のデータが変更後の条件と一致する動画情報のサムネイル画像を表示する（ステップＳ６）。
【００２８】
操作画面でサムネイル表示部１０のサムネイル画像を選択して、タイムライン表示部２０へとドラッグする操作を行い（ステップＳ７）、タイムライン表示部２０の何れかの部位にドロップする操作が行われたかどうかが判定される（ステップＳ８）。サムネイル画像がドロップされると（ステップＳ８：Ｙｅｓ）、タイムライン表示部２０のタイムライン２０ａ〜２０ｄのいずれかにサムネイル画像を表示する（ステップＳ９）。そして、保存ボタンが操作されたか否かの判定が行われる（ステップＳ１０）。保存の操作がされた場合に（ステップＳ１０：Ｙｅｓ）、タイムラインの保存処理が行われる（ステップＳ１１）。具体的には、まずは設定されている日付条件から季節管理テーブル１４０を検索し、季節属性ＩＤを取得する。取得した季節属性ＩＤ、及び選択されている天気属性ＩＤでタイムラインテーブル１００に新たなタイムライン名称と一緒にデータを作成して保存する。また、タイムライン２０ａ〜２０ｄ上にドロップされているサムネイル画像に対応する動画情報のツアーＩＤ、及び場所ＩＤを取得し、また各タイムライン２０ａ〜２０ｄに対応する時間帯属性ＩＤと、同一タイムライン上に複数のサムネイル画像がある場合は再生順序を取得して、各動画毎にタイムライン再生動画テーブル１１０に新たにデータを作成する。
【００２９】
続いてタイムライン再生の処理の流れについて、図６を参照して説明する。タイムラインの再生としては、まず再生対象のタイムラインが選択されることによって開始される。タイムライン再生部３は、タイムラインテーブル１００から該当するタイムラインのデータを検索する（ステップＳ２１）。タイムライン再生部３は、検索したタイムラインテーブル１００からタイムラインＩＤを取得し、同一のタイムラインＩＤが付与されているデータをタイムライン再生動画テーブル１１０から取得する（ステップＳ２２）。
【００３０】
タイムラインのデータを取得すると、以下のステップＳ２４〜ステップＳ２６の処理が全てのデータに対して行われるまで、処理を繰り返す（ステップＳ２３）。まず、取得したデータのツアーＩＤ、及び場所ＩＤ、時間帯属性ＩＤを条件として動画テーブルから一致する動画情報を取得する（ステップＳ２４）。次いで、タイムライン再生部３は、取得した動画情報から動画データのファイルを取得し、再生プレイリストに対して、時間帯属性ＩＤが早い方から追加し、同一の時間帯属性ＩＤがあった場合は再生順の値が早い方から先に追加する（ステップＳ２５）。再生プレイリストに動画ファイルを追加し終わると、次のデータを読み込み（ステップＳ２６）、処理を繰り返す。そして、最後にタイムライン再生部２７は、再生プレイリストに格納されている動画ファイルを順序に従って読み込み、各動画ファイルを再生する（ステップＳ２７）。
【００３１】
以上に示した本実施形態のタイムライン管理システム１においては、サムネイル表示部１０に表示されているサムネイル画像をタイムライン表示部２０に配置する操作を行うだけで、配置先のタイムラインの時間帯に撮影された動画が自動的に選択され、時系列に沿った動画の再生プレイリストが生成される。すなわち、実際の景色を撮影した動画であることから、朝や昼などの時間帯によって、景色の状況は変化するため、他のシステムの場合、ユーザーは実際の動画の内容を確認して、対応するタイムラインの時間帯にあう動画を選択する必要があるが、本システムにおいては、動画の内容を気にすることなく、直観的な操作のみでタイムラインの作成が可能となる。
【００３２】
また、サムネイル画像と、観光の場所によって動画の内容を即座に把握可能であり、サムネイル画像をタイムライン上に時系列に並べるだけで、再生プレイリストが作成できるため、非常に簡易にタイムラインの作成が可能となる。また、サムネイル表示部１０には、全ての動画のサムネイル画像を表示するのではなく、共通の場所に対して撮影された動画に対しては、共通のサムネイル画像が表示されている。そして、このサムネイル画像を配置する操作を行うと、設定されている季節や天気の条件や、配置先の時間帯によって、自動的に対応する動画情報が選択され、タイムラインが作成される。したがって、ユーザーは、動画の内容を確認せずとも、自動的に適切なタイムラインを作成することが可能となる。
【００３３】
また、操作画面上に天気や季節の条件を設定できる部分を設け、設定すると自動的にタイムライン表示部２０に配置したサムネイル画像に対応する動画情報のうち、該当する天気や季節の条件に合致する動画が自動的に選択されてタイムラインを作成することができるようになる。
【００３４】
また、動画の再生端末としてＶＲ端末を使用する場合、動画の視聴者は実際にその観光地にいるかのような視点で動画を見ることができるため、より臨場感にあふれるツアーの体験が可能となる。
【００３５】
以上に示した実施形態のタイムライン管理システムは、別の態様に変更して実施することも可能である。例えば、図３は作成したタイムラインの編集画面の一例である。図３では、横向きに延びるタイムライン表示部２０に、サムネイル画像が表示されており、季節条件変更部３３と天気条件変更部３４が設けられている。本実施形態では、タイムラインへのサムネ理画像の操作をしなくとも、条件を季節条件変更部３３と天気条件変更部３４で変更するだけで、タイムラインの動画も変更されるようになる。
【図１】
2017192046.tif 000003
【図２】
2017192046.tif 000004
【図３】
2017192046.tif 000005
【図４】
2017192046.tif 000006
【図５】
2017192046.tif 000007
【図６】
2017192046.tif 000008
【図７】
2017192046.tif 000009
【図８】
2017192046.tif 000010